(57)【要約】【課題】画像投影装置をユーザが使用する際の利便性を向上させる。【解決手段】本発明の実施形態における画像投影装置は、中空半球形状であって、内周面へ投影された画像を外周面に透過可能とする半球スクリーンと、半球スクリーンの円形開口縁部を支持する本体と、半球スクリーンの内周面に画像を投影するように本体の内部に設けられたプロジェクタとを備え、プロジェクタを操作するためのリモコンを本体に着脱可能に取り付けたものである。【選択図】図１
2014235344.tif 000002
【特許請求の範囲】
【請求項１】
中空半球形状であって、内周面へ投影された画像を外周面に透過可能とする半球スクリーンと、
前記半球スクリーンの円形開口縁部を支持する本体と、
前記半球スクリーンの内周面に画像を投影するように前記本体の内部に設けられたプロジェクタとを備え、
前記プロジェクタを操作するためのリモコンを前記本体に着脱可能に取り付けた
ことを特徴とする画像投影装置。
【請求項２】
前記本体を支持するスタンドをさらに備え、
前記スタンドに、前記本体を所定の複数種類の角度の何れかで挿入可能な開口部が設けられた
ことを特徴とする請求項１に記載の画像投影装置。
【請求項３】
前記リモコンを前記本体または前記スタンドの何れかに着脱可能に取り付け可能とした
ことを特徴とする請求項２に記載の画像投影装置。
【請求項４】
前記プロジェクタは、ＤＬＰ方式のプロジェクタを内蔵する
ことを特徴とする請求項１に記載の画像投影装置。
【請求項５】
前記プロジェクタは、
前記投影する画像を記憶する記憶装置は着脱可能であり、
前記記憶装置から画像を読み出して前記半球スクリーンに投影する
ことを特徴とする請求項１に記載の画像投影装置。
【発明の詳細な説明】
【技術分野】
【０００１】
本発明の実施形態は、画像投影装置に関する。
【背景技術】
【０００２】
従来から、半球状のスクリーンに画像を投影する画像投影装置がある。この装置は、プロジェクタから光学系を介して透過スクリーンの内周面に画像を投影して、この透過スクリーンの外周面に画像を表示するものである。
【先行技術文献】
【特許文献】
【０００３】
【特許文献１】特開２００３−２４１６４８号公報
【特許文献２】実開昭５５−１０５４６２号公報
【特許文献３】特開２０１０−２０４４８９号公報
【特許文献４】特開２０１１−８２０４号公報
【発明の概要】
【発明が解決しようとする課題】
【０００４】
現在使用されている、半球状のスクリーンを用いた画像投影装置において、主に画像の投影機能を向上させることが図られているが、この画像投影装置をユーザが使用する際の利便性を向上させることも重要である。
【０００５】
例えば、画像投影装置において、画像の投影にかかる操作を受け付ける端末装置を別に設けたものがある。しかし、この端末装置を使用しない時に本体と端末装置が別々であると保管場所が離れてしまい、端末装置の所在が分からなくなる事がある。
【０００６】
また、例えば、現在は半球状のスクリーンを用いた画像投影装置では、表示面の角度を所望の角度に調整して固定するものはない。このため、画像をその内容などに応じた角度で表示させることが好ましいとのニーズがあっても、現状ではこのニーズに対応できていない。
【０００７】
本発明が解決しようとする課題は、ユーザが使用する際の利便性を向上させることが可能な画像投影装置を提供することである。
【課題を解決するための手段】
【０００８】
本発明に係わる画像投影装置は、中空半球形状であって、内周面へ投影された画像を外周面に透過可能とする半球スクリーンと、半球スクリーンの円形開口縁部を支持する本体と、半球スクリーンの内周面に画像を投影するように本体の内部に設けられたプロジェクタとを備え、プロジェクタを操作するためのリモコンを本体に着脱可能に取り付けたものである。
【発明の効果】
【０００９】
本発明によれば、画像投影装置をユーザが使用する際の利便性を向上させることができる。
【図面の簡単な説明】
【００１０】
【図１】本発明の実施形態における画像投影装置の全体構成の一例を示す図。
【図２】本発明の実施形態における画像投影装置に対するリモコンの取り付け形状の一例を示す図。
【図３】本発明の実施形態における画像投影装置に対するリモコンの取り付け形状の一例を示す図。
【図４】本発明の実施形態における画像投影装置の半球スクリーンの外観の一例を示す図。
【図５】本発明の実施形態における画像投影装置の半球スクリーンの外観の一例を示す図。
【図６】本発明の実施形態における画像投影装置のスタンドの一例を示す図。
【図７】本発明の実施形態における画像投影装置のスタンドの一例を示す図。
【図８】本発明の実施形態における画像投影装置のスタンドの湾曲板の下部の一例を示す図。
【図９】本発明の実施形態における画像投影装置のスタンドの支持台と支持部材の接続部分の一例を示す図。
【図１０】本発明の実施形態における画像投影装置のスタンドの支持台の裏面の一例を示す図。
【図１１】本発明の実施形態における画像投影装置のスタンドに本体を取り付けた例を示す図。
【図１２】本発明の実施形態における画像投影装置のスタンドに本体を取り付けた例を示す図。
【図１３】本発明の実施形態における画像投影装置のスタンドの一例を示す図。
【図１４】本発明の実施形態における画像投影装置のスタンドに本体を第１の角度で取り付けた例を示す図。
【図１５】本発明の実施形態における画像投影装置のスタンドに本体を第２の角度で取り付けた例を示す図。
【図１６】本発明の実施形態における画像投影装置のスタンドに本体を第３の角度で取り付けた例を示す図。
【図１７】本発明の実施形態における画像投影装置の本体に設けられるプロジェクタの外観の一例を示す図。
【図１８】本発明の実施形態における画像投影装置の本体に設けられるプロジェクタの外観の一例を示す図。
【図１９】本発明の実施形態における画像投影装置の本体に設けられるプロジェクタの外観の一例を示す図。
【図２０】本発明の実施形態における画像投影装置の本体に設けられるプロジェクタの外観の一例を示す図。
【発明を実施するための形態】
【００１１】
以下、本発明の実施形態について図面を用いて説明する。  
図１は、本発明の実施形態における画像投影装置の全体構成の一例を示す図である。  
図２および図３は、本発明の実施形態における画像投影装置に対するリモコンの取り付け形状の一例を示す図である。  
本発明の実施形態における画像投影装置は、半球スクリーン１０と、本体２０と、スタンド３０とを備える。
【００１２】
図４は、本発明の実施形態における画像投影装置の半球スクリーンの外観の一例を示す図である。図５は、本発明の実施形態における画像投影装置の半球スクリーンの外観の一例を示す透視図である。  
半球スクリーン１０は、直径２５〜４０センチ程度の中空半球形状をなす透過型のスクリーンであり、内周面に投影された画像をユーザが外周面側から透過して視認可能としている。
【００１３】
この半球スクリーン１０を形成するには、例えばアクリルといった適切な透過率をもつ合成樹脂を素材としてシート材からの熱成形処理や、ペレット樹脂からの射出成形処理により半球ドーム状に加工する。半球スクリーン１０の内周面にはスクリーンペレットの射出成形が施されている。
【００１４】
次に、本体２０について説明する。  
図１から図３に示すように、本体２０は、半球筐体２１と円筒筐体２２とが連なってなる。  
半球筐体２１は、半球スクリーン１０と同様の中空半径状であって、光を透過しないようにされている。この半球筐体２１は、円形開口縁部の反対側としての下端部の底面が開口して円筒筐体２２の一端部としての開口部に連なる。半球筐体２１の円形開口縁部としての上端は、半球スクリーン１０の円形開口縁部のフランジ１０ａ（図４、図５参照）に固定される。  
つまり、本体２０の半球筐体２１に半球スクリーン１０を取り付けたときは、本体２０と半球スクリーン１０とをあわせて電球のような外形をなす。  
なお、円筒筐体２２には、本体２０内部の熱を排出する複数のスリット状の開口部２７が設けられている。
【００１５】
次に、スタンド３０の構成例について説明する。  
まず、スタンド３０の第１の構成例について説明する。  
図６および図７は、本発明の実施形態における画像投影装置のスタンドの一例を示す図である。図８は、本発明の実施形態における画像投影装置のスタンドの湾曲板の下部の一例を示す図である。図９は、本発明の実施形態における画像投影装置のスタンドの支持台と支持部材の接続部分の一例を示す図である。図１０は、本発明の実施形態における画像投影装置のスタンドの支持台の裏面の一例を示す図である。図１１は、本発明の実施形態における画像投影装置のスタンドに本体を取り付けた例を示す図である。図１２は、本発明の実施形態における画像投影装置のスタンドに本体を取り付けた例を示す図である。  
スタンド３０は、底部から上部にかけて支持台３１、支持部材３２、湾曲板３３を有する。本実施形態では、スタンド３０に対する本体２０の取り付け角度を複数段階に調整して、この調整した角度に取り付け角度を固定することができる。図６から図１２に示した例では、スタンド３０に対する本体２０の取り付け角度を０度、４５度、９０度の３段階に調整できる構成を示す。
【００１６】
支持台３１は所定の面積を有する平板状の部材であり、下面が例えば床面に載置される。  
支持部材３２は、所定の高さを有して一端が支持台３１の上面に取り付けられる。なお、本実施形態では、この支持部材３２は２つの平板状であるが、これに限らず複数の棒状などであってもよい。２つの支持部材３２の一端は、平板方向が支持台３１の平板方向と直交するように、かつ平板部分が向かい合うように支持台３１の上面に取り付けられる。これらの支持部材を支持台３１に取り付けた時の間隔は、円筒筐体２２の外径以上の間隔になるようにする。
【００１７】
支持台３１の上面に支持部材３２の一端を取り付けるために、支持台３１の上面における支持部材３２の取り付け箇所には図６や図９に示すように複数の突起部３１ａが設けられる。また、支持部材３２の一端には突起部３１ａを挿入するための穴が設けられる。
【００１８】
湾曲板３３は、一端部から他端部にかけて第１部分３３ａ、第２部分３３ｂ、第３部分３３ｃの順で連なる板である。この湾曲板３３は、第１部分３３ａを上端側として第３部分３３ｃを下端側として２つの支持部材３２の他端を跨いで取り付けられるように弓状に湾曲している。湾曲板３３の第１部分３３ａ、第２部分３３ｂ、第３部分３３ｃには、スタンド３０に対する本体２０の取り付け角度を３段階に調整するための開口部が設けられる。例えば、湾曲板３３を支持部材３２に取り付けるには、図８に示すように、湾曲板３３の第３部分３３ｃの下面に突起部３３ｇを設け、かつ、支持部材３２の他端にこの突起部３３ｇを挿入するための穴を設けて、突起部３３ｇを穴に挿入すればよい。
【００１９】
支持部材３２の他端に湾曲板３３を取り付けた時に、第１部分３３ａの平板方向は支持台３１の平板方向に対してほぼ直交する。  
湾曲板３３の第３部分３３ｃを２つの支持部材３２の他端を跨ぐように取り付けた時に、第３部分３３ｃの平板方向は支持台３１の平板方向に近くなる。  
第２部分３３ｂは、第１部分３３ａと第３部分３３ｃに挟まれる。
【００２０】
また、湾曲板３３の第１部分３３ａには円状の開口部３３ｄが設けられる。この開口部３３ｄは、本体２０の円筒筐体２２の外径よりやや広めの内径を有し、第１部分３３ａを貫通する。この開口部３３ｄに本体２０の円筒筐体２２を挿入すると、この円筒筐体２２の軸方向が支持台３１の平板方向に対して０度の角度になる。本体２０に半球スクリーン１０を取り付けている状態では、半球スクリーン１０の上端は、支持台３１の平板方向に対して０度の角度を向く。
【００２１】
また、湾曲板３３の第２部分３３ｂには円状の開口部３３ｅが設けられる。この開口部３３ｅは、本体２０の円筒筐体２２の外径よりやや広めの内径を有し、第２部分３３ｂを貫通する。この開口部３３ｅに本体２０の円筒筐体２２を挿入すると、この円筒筐体２２の軸方向は、図１に示すように支持台３１の平板方向に対して４５度の角度になる。本体２０に半球スクリーン１０を取り付けている状態では、半球スクリーン１０の上端は、図１、図３に示すように支持台３１の平板方向に対して４５度上向きの角度を向く。  
開口部３３ｄ，３３ｅは図３に示すように部分的に重複してもよいし、互いが独立した開口部であってもよい。
【００２２】
この第３部分３３ｃには円状の開口部３３ｆが設けられる。この開口部３３ｆは、本体２０の円筒筐体２２の外径よりやや広めの内径を有し、第３部分３３ｃを貫通する。この開口部３３ｆに本体２０の円筒筐体２２を挿入すると、この円筒筐体２２の軸方向は、図１１、図１２に示すように支持台３１の平板方向に対して９０度の角度になる。  
これにより、スタンド３０に対する本体２０の取り付け角度を３段階に調整して、この調整した角度に取り付け角度を固定することができる。本発明の実施形態の構成では、スタンド３０自体は角度を可変するための機構を有していないので、簡略な構成で取り付け角度を変更できる。よって、画像投影装置全体を小型化することができ、コストを削減することもできる。
【００２３】
また、湾曲板３３における開口部の数や位置を異ならせたスタンド３０を用いる事で、スタンド３０に対する本体２０の取り付け角度を変更したり、より多段階の角度調整を行なったりすることも可能である。
【００２４】
次に、スタンド３０の第２の構成例として、湾曲板３３における開口部の数や位置を異ならせた例について説明する。  
図１３は、本発明の実施形態における画像投影装置のスタンドの一例を示す図である。図１４は、本発明の実施形態における画像投影装置のスタンドに本体を第１の角度で取り付けた例を示す図である。図１５は、本発明の実施形態における画像投影装置のスタンドに本体を第２の角度で取り付けた例を示す図である。図１６は、本発明の実施形態における画像投影装置のスタンドに本体を第３の角度で取り付けた例を示す図である。  
図１３から図１６に示した例では、スタンド３０に対する本体２０の取り付け角度を０度、３０度、６０度の３段階に調整できる構成を示す。
【００２５】
図１３から図１６に示した例では、湾曲板３３は、一端部から他端部にかけて第１部分３３ａ２、第２部分３３ｂ２、第３部分３３ｃ２、第４部分３３ｄ２の順で連なり、第１部分３３ａ２を上端側として第４部分３３ｄ２を下端側として支持部材３２の他端に取り付けられるように弓状に湾曲している。
【００２６】
この湾曲板３３の第１部分３３ａ２、第２部分３３ｂ２、第３部分３３ｃ２には、スタンド３０に対する本体２０の取り付け角度を複数段階に調整するための開口部が設けられている。支持部材３２の他端に対して湾曲板３３を取り付けた時に、第１部分３３ａ２の平板方向は、支持台３１の平板方向に対してほぼ直交する。  
湾曲板３３の第４部分３３ｄ２を２つの支持部材３２の他端を跨ぐように取り付けたとき、この第４部分３３ｄ２の平板方向は支持台３１の平板方向に近くなる。この第４部分３３ｄ２には開口部３３ｈ２が設けられる。  
第２部分３３ｂ２、第３部分３３ｃ２は、第１部分３３ａ２と第４部分３３ｄ２に挟まれる。
【００２７】
また、湾曲板３３の第１部分３３ａ２には、円状の開口部３３ｅ２が設けられる。この開口部３３ｅ２は、本体２０の円筒筐体２２の外径よりやや広めの内径を有し、第１部分３３ａ２を貫通する。この開口部３３ｅ２に本体２０の円筒筐体２２を挿入すると、この円筒筐体２２の軸方向が支持台３１の平板方向に対して０度の角度になる。本体２０に半球スクリーン１０を取り付けている状態では、半球スクリーン１０の上端は、図１４に示すように支持台３１の平板方向に対して０度の角度を向く。
【００２８】
また、湾曲板３３の第２部分３３ｂ２には、円状の開口部３３ｆ２が設けられる。この開口部３３ｆ２は、本体２０の円筒筐体２２の外径よりやや広めの内径を有し、第２部分３３ｂ２を貫通する。この開口部３３ｆ２に本体２０の円筒筐体２２を挿入すると、この円筒筐体２２の軸方向は、図１９に示すように支持台３１の平板方向に対して３０度の角度になる。本体２０に半球スクリーン１０を取り付けている状態では、半球スクリーン１０の上端は、図１５に示すように支持台３１の平板方向に対して３０度上向きの角度を向く。
【００２９】
また、湾曲板３３の第３部分３３ｃ２には円状の開口部３３ｇ２が設けられる。開口部３３ｅ２，３３ｆ２の間、開口部３３ｆ２、３３ｇ２の間、開口部３３ｇ２、３３ｈ２の間は図１３に示すように部分的に重複してもよいし、互いが独立した開口部であってもよい。
【００３０】
第３部分３３ｃ２の開口部３３ｇ２は、本体２０の円筒筐体２２の外径よりやや広めの内径を有し、第３部分３３ｃ２を貫通する。この開口部３３ｇ２に本体２０の円筒筐体２２を挿入すると、この円筒筐体２２の軸方向は、図１６に示すように支持台３１の平板方向に対して６０度の角度になる。本体２０に半球スクリーン１０を取り付けている状態では、半球スクリーン１０の上端は、図１６に示すように支持台３１の平板方向に対して６０度上向きの角度を向く。
【００３１】
次に、本体２０を操作するためのリモコンについて説明する。  
図２、図３に示すように、本体２０の円筒筐体２２における、半球筐体２１へ連なる側の反対側としての他方の底面には、本体２０に関わる操作を受け付ける端末装置としてのリモコン２６が着脱自在に取り付けられる。このリモコン２６は例えば電池で駆動し、リモコン受光部２４を介して本体２０内のプロジェクタ４０に対して赤外線通信などにより通信可能である。このリモコン２６は、プロジェクタ４０による投影画像の選択や投影画像の明るさの調整などの各種機能に関する操作ボタンを有する。
【００３２】
また、図２に示すように、本体２０の円筒筐体２２には、電源スイッチ２３、リモコン受光部２４の他、投影用の画像データを記憶する記憶装置を取り付けるための取り付け口２５が設けられる。なお、リモコン受光部２４は、本体２０の内面の適当な箇所に設けても良い。
【００３３】
本体２０に対するリモコン２６の取り付け方式は、例えば、本体２０の円筒筐体２２の他端部としての底面にねじ込み用の溝を設けて、この溝にリモコン２６をねじ込む方式としてもよい。ここで、リモコン２６を例えば図２に示すように円板状として、このリモコン２６の全体を円筒筐体２２の前述した溝にねじ込む構成とすれば、本体２０に対してリモコン２６を一体化させて、取り付け部分が突出しないようにすることが出来る。
【００３４】
また、取り付け方式は、リモコン２６に磁石を内蔵し、かつ、本体２０の円筒筐体２２の他端部の底面を磁石に吸着する材料を含むようにして、この底面を含む取り付け口を図２に示すように形成して、この取り付け口にリモコン２６を挿入して磁石により固定する方式としてもよい。  
これにより、本体２０にリモコン２６を容易に着脱することができる。ユーザは、リモコン２６を使用するときは本体２０からリモコンを取り外し、リモコン２６を使用しないときは本体２０にリモコン２６を取り付けることができる。
【００３５】
このようにリモコン２６を本体２０に着脱できるようにすれば、ユーザが本体２０を使用しないとき、例えばリモコン２６を保管などする際に、このリモコン２６を本体２０から離れた箇所に置いてリモコン２６の所在が分からなくなる事を防止することができる。
【００３６】
また、リモコン２６が使用されていないとき、このリモコン２６が本体２０に取り付けられている状態にすることができるので、ユーザは、リモコン２６を使用したいときに速やかに見つけることができる。
【００３７】
また、リモコン２６は、本体２０の円筒筐体２２に限らず、例えばスタンド３０の支持台３１、支持部材３２、湾曲板３３のいずれかが磁石に吸着する材料を含むようにして、リモコン２６を磁石によりスタンド３０に固定する方式としてもよい。
【００３８】
図１７、図１８、図１９、図２０は、本発明の実施形態における画像投影装置の本体に設けられるプロジェクタの外観の一例を示す図である。  
図１２、図１７〜図２０に示すように、本体２０の円筒筐体２２にはプロジェクタ４０が内蔵される。これらの図では、本体２０内のプロジェクタ４０を異なる視点でみた図である。プロジェクタ４０は、画像素子及び光源を有し、投影用の画像を図示しないプロジェクションレンズを通して投射口４０ａから半球スクリーン１０の内周面に投影する。
【００３９】
プロジェクタ４０の方式は、反射型プロジェクタの一種としてのＤＬＰ（Digital Light Processing）（登録商標）方式としている。この方式を用いると、他の方式と比べて小型化したプロジェクタを実現でき、消費電力を低減することができる。
【００４０】
具体的には、ＤＬＰ方式のプロジェクタ４０では、多数のミラー素子が縦横に規則的に配列され、各ミラー素子を個別に制御できるＤＭＤ（Digital Mirror Device）（登録商標）を用いて、画像を半球スクリーン１０の内周面に投影する。
【００４１】
このＤＬＰ方式のプロジェクタは、半球スクリーン１０の内周面に投影する画像に基づいて、照明光をプロジェクションレンズに入射させる方向、又は入射させない方向の２つの方向の何れかにＤＭＤの各ミラー素子を駆動させることで、画像を半球スクリーン１０上に投影する。プロジェクションレンズは、１８０度の半球状の投影が可能な等角写像魚眼レンズ系とする。
【００４２】
半球スクリーン１０上には、プロジェクションレンズに入射された照明光による画像が投影される。ＤＬＰ方式のプロジェクタでは、ＤＭＤにおけるミラー素子の総数がスクリーン上に投影される画像の画素数であり、ＤＭＤのミラー素子は微小である。したがって、ミラー素子の総数が多いＤＭＤを用いることで、光学系のサイズの大型化を抑え、画素数の多い高精細な画像を半球スクリーン１０上に投影できる。
【００４３】
また、ＤＬＰ方式のプロジェクタは、他の透過型のプロジェクタ、反射型の一種としてのＬＣｏＳ型のプロジェクタと比較して発色性能（色のコントラスト比）、製品寿命ともに優れ、画素格子が目立たず、消費電力が少ないという利点がある。
【００４４】
また、消費電力が少ない事により、本体２０について充電式の電池駆動が可能になるので、停電が発生しても画像投影装置による投影を継続でき、また、この停電時に画像投影装置を非常灯として用いることができる。
【００４５】
また、消費電力が少ないことにより、画像投影装置についての熱の発生を抑えることができる。このように熱の発生を抑えることができると、例えば、スリット状の開口部２７を設けるとともに、図１２に示すようにプロジェクタ４０の近傍にヒートシンク４０ｂを設けることにより、熱を効率的に外部に逃がすことができるため、本体２０内に冷却用のファンを設ける必要がなくなるので、簡易な構成の画像投影装置が実現できる。  
勿論、プロジェクタ４０が投影画像の照度を大幅に上げた構成であって本体２０の内部の温度上昇が見込まれる場合には、本体２０内に冷却用のファンを取り付けて、本体２０内を空冷してもよい。
【００４６】
プロジェクタ４０には、記憶装置を取り外し可能に接続できる。この記憶装置は例えばＵＳＢメモリやメモリカードといった不揮発性の記憶媒体であり、半球スクリーン１０に投影される画像のデータを記憶する。
【００４７】
記憶装置がＵＳＢメモリである場合、プロジェクタ４０はＵＳＢコネクタ付きの取り付け口２５を有する。この取り付け口２５は本体２０の円筒筐体２２から外部に露出する。図２では、ＵＳＢコネクタとしての取り付け口２５を示している。このＵＳＢコネクタを介してプロジェクタ４０と記憶装置を接続することができる。
【００４８】
また、記憶装置がメモリカードである場合、プロジェクタ４０は本体２０の円筒筐体２２から露出するカード挿入口を有し、この挿入口を介してプロジェクタ４０と記憶装置を接続することができる。
【００４９】
また、図２に示すように、取り付け口２５を円筒筐体２２におけるリモコン２６の取り付け口の内部に設けて、この取り付け口２５から記憶装置の全体を円筒筐体２２内に収納する事ができる。この状態で本体２０の円筒筐体２２にリモコン２６を取り付ければ、図３に示すように記憶装置が外部から見えないようにする事ができるので、デザインとして優れた画像投影装置を実現できる。
【００５０】
プロジェクタ４０は、記憶装置を接続した状態で、ユーザによるリモコン２６への所定の操作に従って記憶装置から画像を読み出して半球スクリーン１０に投影することができる。また、ユーザは投影画像を半球スクリーン１０の外周面から確認しながらリモコン２６への所定の操作を行う事で、投影画像を記憶装置に記憶される他の画像に切り替えることができる。
【００５１】
この画像は、例えば幾何学模様や自然の画像であってもよいし、地球の表面、惑星の表面、または宇宙の画像であってもよいし、その他の例えば教育用の画像であってもよい。記憶装置に記憶される画像は、静止画であってもよいし、動画であってもよい。この動画は音声が無い動画であってもよいし、本体２０に図示しないスピーカを取り付けた構成では音声付き動画であってもよい。この場合、プロジェクタ４０は、音声付き動画に含ませる音声をスピーカから出力させる。  
また、プロジェクタ４０から投射された光が本体２０の内部で乱反射する事を抑えるために、本体２０の半球筐体２１や円筒筐体２２の内部の壁面にマット塗装（所謂つや消し塗装）を施しているが、円錐形の無反射板を取り付ける構成としてもよい。これにより、投影画像が半球スクリーン１０に精度よく表示されるようになる。
【００５２】
また、プロジェクタ４０にＨＤＭＩ端子（登録商標）などの映像入力端子を設けて、この端子に例えばスマートフォンやタブレットＰＣなどの機器を接続した上で、この機器で管理する画像データを、プロジェクタ４０を介して半球スクリーン１０に投影する構成としてもよい。これにより、画像の投影にかかる汎用性を向上させることができる。
【００５３】
なお、本実施例では、取り付け口２５を円筒筐体２２におけるリモコン２６の取り付け口の内部としていたが、円筒筐体２２の外面にＵＳＢコネクタ、ＨＤＭＩ端子、ＤＣ・ＩＮ端子等の各接続端子を設ける構成としても良い。
【００５４】
以上のように、本発明の実施形態における画像投影装置では、半球スクリーンへ画像を投影するプロジェクタを小型化して消費電力を低減させたプロジェクタを実現できるので、画像投影装置全体の小型化および消費電力の低減を実現できる。  
また、スタンドに対する本体の取り付け角度を複数段階に調整して、この調整した角度に取り付け角度を固定できる構成としたので、ユーザは、例えば画像の内容に応じて適した角度で画像を確認する事ができる。
【００５５】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【符号の説明】
【００５６】
１０…半球スクリーン、２０…本体、２１…半球筐体、２２…円筒筐体、２３…電源スイッチ、２４…リモコン受光部、２６…リモコン、３０…スタンド、３１…支持台、３２…支持部材、３３…湾曲板、４０…プロジェクタ。
【図１】
2014235344.tif 000003
【図２】
2014235344.tif 000004
【図３】
2014235344.tif 000005
【図４】
2014235344.tif 000006
【図５】
2014235344.tif 000007
【図６】
2014235344.tif 000008
【図７】
2014235344.tif 000009
【図８】
2014235344.tif 000010
【図９】
2014235344.tif 000011
【図１０】
2014235344.tif 000012
【図１１】
2014235344.tif 000013
【図１２】
2014235344.tif 000014
【図１３】
2014235344.tif 000015
【図１４】
2014235344.tif 000016
【図１５】
2014235344.tif 000017
【図１６】
2014235344.tif 000018
【図１７】
2014235344.tif 000019
【図１８】
2014235344.tif 000020
【図１９】
2014235344.tif 000021
【図２０】
2014235344.tif 000022